(57)【要約】【課題】本発明は、羽根部の支持部への取付けにおいて、取付け作業時間を短縮することができることを目的とするものである。【解決手段】そして、この目的を達成するために本発明は、羽根部９の根元部１０には、ねじ１６の頭部より小さい丸孔である小径丸孔部１３からなる孔部１２を２箇所有し、支持部８には、孔部１２に相対する位置に孔部１２のねじ１６が固定可能な２箇所のねじ孔部１５を備え、２個のねじ１６を小径丸孔部１３に通しねじ孔部１５でねじ止めすることによって羽根部９を支持部８に固定可能とし、小径丸孔部１３の１箇所は、ねじ１６の頭部より大きい丸孔である大径丸孔部１４が連結した形状であり、この大径丸孔部１４が連結した形状の孔部１２に相対する位置の支持部８のねじ孔部１５には、ねじ１６が締結された状態で梱包ケース１８に収納されていることを特徴とするものである。【選択図】図２
2014152700.tif 000002
【特許請求の範囲】
【請求項１】
天井に係合可能な連結部と、この連結部の下部に備えたモータ部と、このモータ部の周縁に回転自在に設けた支持部と、この支持部に着脱可能な複数の羽根部と、梱包ケースとから構成し、この羽根部は、前記支持部に固定される根元部と、前記支持部が回転することにより空気を送風する翼部で構成され、前記根元部には、孔である孔部を少なくとも２箇所有し、この孔部はねじの頭部より小さい丸孔である小径丸孔部からなり、前記支持部には、前記孔部に相対する位置に孔部前記ねじが固定可能な少なくとも２箇所のねじ孔部を備え、少なくとも２個の前記ねじを前記小径丸孔部に通し前記ねじ孔部でねじ止めすることによって前記羽根部を前記支持部に固定可能とし、前記小径丸孔部の１箇所は、ねじの頭部より大きい丸孔である大径丸孔部が連結した形状であり、この前記大径丸孔部が連結した形状の前記孔部に相対する位置の前記支持部の前記ねじ孔部には、前記ねじが締結された状態で前記梱包ケースに収納されていることを特徴とする天井扇風機。
【請求項２】
前記孔部のすべてが、ねじの頭部より小さい丸孔である前記小径丸孔部とねじの頭部より大きい丸孔である大径丸孔部が連結した形状であり、すべての前記支持部の前記ねじ孔部には、前記ねじが締結されたことを特徴とする請求項１に記載の天井扇風機。
【請求項３】
前記孔部は、大径丸孔部が小径丸孔部より、前記羽根部が回転した場合に、前記羽根部の出口側となる側に設けたことを特徴とする請求項１または２に記載の天井扇風機。
【発明の詳細な説明】
【技術分野】
【０００１】
本発明は、天井から吊下げられた天井扇風機に関する。
【背景技術】
【０００２】
従来、この種の天井扇風機の構成は、以下のようになっていた。
【０００３】
すなわち、天井に係合可能な連結部と、この連結部の下部に備えたモータ部と、このモータ部の周縁に回転自在に設けた支持部と、この支持部に着脱可能に設けた複数の金属製の羽根部とから構成し、この羽根部は、前記支持部に固定される根元部と、前記支持部が回転することにより空気を送風する翼部を備えた構成となっていた。
【０００４】
例えば、これに類似する先行文献は下記特許文献１に記載されている。
【先行技術文献】
【特許文献】
【０００５】
【特許文献１】特開２００９−１２１２４３号公報
【発明の概要】
【発明が解決しようとする課題】
【０００６】
上記従来例における課題は、羽根部を支持部へ固定する作業の時間を短縮させることであった。
【０００７】
すなわち、羽根部を支持部へ固定する際に、まず羽根部の根元部を固定する位置に２箇所以上で締結されたねじを取外してから、または羽根部の根元部を固定する位置にねじが締結されていない場合は別途用意されたねじを用いて、羽根部の根元部と支持部を２箇所以上の締結により固定するため、羽根部は複数枚有するので、その取付け作業に時間がかかっていた。
【０００８】
そこで、本発明は、羽根部の支持部への固定において、羽根部の根元部を固定する位置に２箇所以上で締結されたねじの内、少なくとも１箇所のねじは外すことなく緩めるだけで、羽根部の根元部を支持部の所定の位置に配置できることにより、羽根部の根元部と支持部を２箇所以上の締結により固定することで、取付け作業時間を短縮することができることを目的とするものである。
【課題を解決するための手段】
【０００９】
そして、この目的を達成するために本発明は、天井に係合可能な連結部と、この連結部の下部に備えたモータ部と、このモータ部の周縁に回転自在に設けた支持部と、この支持部に着脱可能な複数の羽根部と、梱包ケースとから構成し、この羽根部は、前記支持部に固定される根元部と、前記支持部が回転することにより空気を送風する翼部で構成され、前記根元部には、孔である孔部を少なくとも２箇所有し、この孔部はねじの頭部より小さい丸孔である小径丸孔部からなり、前記支持部には、前記孔部に相対する位置に孔部前記ねじが固定可能な少なくとも２箇所のねじ孔部を備え、少なくとも２個の前記ねじを前記小径丸孔部に通し前記ねじ孔部でねじ止めすることによって前記羽根部を前記支持部に固定可能とし、前記小径丸孔部の１箇所は、ねじの頭部より大きい丸孔である大径丸孔部が連結した形状であり、この前記大径丸孔部が連結した形状の前記孔部に相対する位置の前記支持部の前記ねじ孔部には、前記ねじが締結された状態で前記梱包ケースに収納されていることを特徴としたものであり、これにより所期の目的を達成するものである。
【発明の効果】
【００１０】
本発明によれば、天井に係合可能な連結部と、この連結部の下部に備えたモータ部と、このモータ部の周縁に回転自在に設けた支持部と、この支持部に着脱可能な複数の羽根部と、梱包ケースとから構成し、この羽根部は、前記支持部に固定される根元部と、前記支持部が回転することにより空気を送風する翼部で構成され、前記根元部には、孔である孔部を少なくとも２箇所有し、この孔部はねじの頭部より小さい丸孔である小径丸孔部からなり、前記支持部には、前記孔部に相対する位置に孔部前記ねじが固定可能な少なくとも２箇所のねじ孔部を備え、少なくとも２個の前記ねじを前記小径丸孔部に通し前記ねじ孔部でねじ止めすることによって前記羽根部を前記支持部に固定可能とし、前記小径丸孔部の１箇所は、ねじの頭部より大きい丸孔である大径丸孔部が連結した形状であり、この前記大径丸孔部が連結した形状の前記孔部に相対する位置の前記支持部の前記ねじ孔部には、前記ねじが締結された状態で前記梱包ケースに収納されていることを特徴とするものであり、羽根部を支持部へ固定する作業時間を短縮することができるものである。
【００１１】
すなわち、羽根部を支持部へ固定する際に、羽根部の根元部に設けられた少なくとも２箇所のねじの頭部より小さい丸孔であるねじ止め用の小径丸孔部の内、少なくとも１箇所はねじの頭部より大きい丸孔である大径丸孔部が連結した形状であることにより、このねじの頭部より大きい丸孔である大径丸孔部と連結したねじの頭部より小さい丸孔である小径丸孔部と相対する位置の支持部のねじ孔部に締結されたねじは外すことなく緩めるだけで、ねじの頭部より大きい丸孔である大径丸孔部がこのねじの頭部を通過して羽根部の根元部は支持部に到達し、続いてねじの頭部より小さい丸孔である小径丸孔部の方向に羽根部の根元部を移動させることにより羽根部の根元部は支持部の所定の位置に配置することができる。
【００１２】
結果として、羽根部の支持部への固定において、羽根部の根元部を固定する位置に２箇所以上で仮固定されたねじの内、少なくとも１箇所のねじは外すことなく緩めるだけで、羽根部の根元部を支持部の所定の位置に配置できることにより、羽根部の根元部と支持部を２箇所以上のねじ止めにより締結固定することで、取付け作業時間を短縮することができるものである。
【図面の簡単な説明】
【００１３】
【図１】本発明の実施の形態１の天井扇風機の概要を示す図
【図２】同天井扇風機の羽根部と支持部の概要を示す図
【図３】同天井扇風機の梱包ケース内の収納状態を示す図
【図４】同天井扇風機の羽根部の支持部への取付状態を示す図
【図５】同天井扇風機の羽根部の支持部への取付状態を示す図
【図６】本発明の実施の形態２の天井扇風機の羽根部と支持部の概要を示す図
【図７】同天井扇風機の羽根部の支持部への取付状態を示す図
【図８】同天井扇風機の羽根部の支持部への取付状態を示す図
【発明を実施するための形態】
【００１４】
本発明の請求項１記載の天井扇風機は、天井に係合可能な連結部と、この連結部の下部に備えたモータ部と、このモータ部の周縁に回転自在に設けた支持部と、この支持部に着脱可能な複数の羽根部と、梱包ケースとから構成し、この羽根部は、前記支持部に固定される根元部と、前記支持部が回転することにより空気を送風する翼部で構成され、前記根元部には、孔である孔部を少なくとも２箇所有し、この孔部はねじの頭部より小さい丸孔である小径丸孔部からなり、前記支持部には、前記孔部に相対する位置に孔部前記ねじが固定可能な少なくとも２箇所のねじ孔部を備え、少なくとも２個の前記ねじを前記小径丸孔部に通し前記ねじ孔部でねじ止めすることによって前記羽根部を前記支持部に固定可能とし、前記小径丸孔部の１箇所は、ねじの頭部より大きい丸孔である大径丸孔部が連結した形状であり、この前記大径丸孔部が連結した形状の前記孔部に相対する位置の前記支持部の前記ねじ孔部には、前記ねじが締結された状態で前記梱包ケースに収納された構成を有する。
【００１５】
これにより、羽根部の根元部に設けられた少なくとも２箇所のねじの頭部より小さい丸孔であるねじ止め用の小径丸孔部の内、少なくとも１箇所はねじの頭部より大きい丸孔である大径丸孔部が連結した形状であることにより、このねじの頭部より大きい丸孔である大径丸孔部と連結したねじの頭部より小さい丸孔である小径丸孔部と相対する位置の支持部のねじ孔部に締結されたねじは外すことなく緩めるだけで、ねじの頭部より大きい丸孔である大径丸孔部がこのねじの頭部を通過して羽根部の根元部は支持部に到達し、続いてねじの頭部より小さい丸孔である小径丸孔部の方向に羽根部の根元部を移動させることにより羽根部の根元部は支持部の所定の位置に配置することができるので、取付け作業時間を短縮できるという効果を奏する。
【００１６】
また、前記孔部のすべてが、ねじの頭部より小さい丸孔である前記小径丸孔部とねじの頭部より大きい丸孔である大径丸孔部が連結した形状であり、すべての前記支持部の前記ねじ孔部には、前記ねじが締結された構成にしてもよい。
【００１７】
これにより、羽根部の根元部に設けられた少なくとも２箇所のねじの頭部より小さい丸孔であるねじ止め用の小径丸孔部のすべてが、ねじの頭部より大きい丸孔である大径丸孔部と連結した形状であることにより、このねじの頭部より大きい丸孔である大径丸孔部と連結したねじの頭部より小さい丸孔である小径丸孔部と相対する位置の支持部のねじ孔部に締結されたねじは外すことなく緩めるだけで、ねじの頭部より大きい丸孔である大径丸孔部がこのねじの頭部を通過して羽根部の根元部は支持部に到達し、続いてねじの頭部より小さい丸孔である小径丸孔部の方向に羽根部の根元部を移動させることにより羽根部の根元部は支持部の所定の位置に配置することができるので、取付け作業時間を短縮できるという効果を奏する。
【００１８】
また、孔部は、大径丸孔部が小径丸孔部より羽根部が回転した場合に、羽根部の出口側となる側に設けた構成にしてもよい。
【００１９】
これにより、支持部に固定された複数の羽根部が回転することにより空気を送風し、羽根部は空気の送風方向と逆方向、いわゆる羽根部が回転した場合に、羽根部の入口側から出口側すなわち羽根部の前縁から後縁に向かって力を受けることになるが、羽根部の根元部に設けられた孔部は、大径丸孔部が小径丸孔部より羽根部が回転した場合の羽根部の出口側に配設して連結した形状であることにより、支持部に締結固定された羽根部の根元部のねじが万が一緩んでも羽根部が受ける力の向きは羽根部が回転した場合の羽根部の入口側から出口側であるため、羽根部は小径丸孔部より羽根部が回転した場合の羽根部の出口側にある大径丸孔部の方向に移動することはないので、ねじの緩みによって支持部に固定された羽根部は脱落しないという効果を奏する。
【００２０】
以下、本発明の実施の形態について図面を参照しながら説明する。
【００２１】
（実施の形態１）
図１は、本発明の実施の形態の天井扇風機の概要を示す図である。図２は、本発明の実施の形態の天井扇風機の羽根部と支持部の概要を示す図である。図３は、本発明の実施の形態の天井扇風機の梱包ケース内の収納状態を示す図である。図４は、本発明の実施の形態の天井扇風機の羽根部の支持部への取付状態を示す図である。図５は、本発明の実施の形態の天井扇風機の羽根部の支持部への取付状態を示す図である。
【００２２】
図１から図５に示すように、天井扇風機３は、天井１に固定される吊下部２を介して係合可能な構成である。天井扇風機３は連結部４と、モータ部７と、羽根部９と、本体カバー部１７とを備えている。
【００２３】
天井扇風機３は上部に、吊下部２に吊下げ可能な連結部４を備えている。連結部４は、吊下部２に直接引っ掛けられるジョイント部５と、このジョイント部５の下部に係合された円筒形状のパイプ部６とから構成されている。パイプ部６の下部にはモータ部７が固定されている。モータ部７の周縁部には支持部８が設けられており、この支持部８に着脱可能な複数の羽根部９が固定される。この羽根部９は、モータ部７から外方水平方向に延びるように固定される。ここで、モータ部７が回転することにより、羽根部９が回転し、空気が羽根部９から下方へ送風される。
【００２４】
本実施形態における特徴は、羽根部９の支持部８への取付け構造にある。
【００２５】
具体的には、羽根部９は、支持部８に固定される根元部１０と、回転することにより空気を送風する翼部１１で構成されている。羽根部９の根元部１０には、孔である孔部１２を少なくとも２箇所有している。
【００２６】
支持部８には、孔部１２に相対する位置に孔部１２のねじ１６が固定可能な少なくとも２箇所のねじ孔部１５を備えている。少なくとも２個のねじ１６を後述する孔部１２の小径丸孔部１３に通しねじ孔部１５でねじ止めすることによって羽根部９を支持部８に固定可能としている。
【００２７】
羽根部９の根元部１０の孔部１２は、ねじ１６の頭部より小さい丸孔である小径丸孔部１３からなる。この小径丸孔部１３の１箇所は、ねじ１６の頭部より大きい丸孔である大径丸孔部１４が連結した形状である。この大径丸孔部１４が連結した形状の孔部１２に相対する位置の支持部８のねじ孔部１５には、ねじ１６が締結された状態で梱包ケース１８に収納されている。
【００２８】
すなわち、羽根部９の根元部１０に設けられた少なくとも２箇所のねじ１６の頭部より小さい丸孔であるねじ止め用の小径丸孔部１３の内、少なくとも１箇所はねじ１６の頭部より大きい丸孔である大径丸孔部１４が連結した形状であることとなる。
【００２９】
ここで、このねじ１６の頭部より大きい丸孔である大径丸孔部１４と連結したねじ１６の頭部より小さい丸孔である小径丸孔部１３と相対する位置の支持部８のねじ孔部１５に締結されたねじ１６は外すことなく緩めるだけで、図４に示すようにねじ１６の頭部より大きい丸孔である大径丸孔部１４がこのねじ１６の頭部を通過して羽根部９の根元部１０は支持部８に到達する。続いて図５に示すように、ねじ１６の頭部より小さい丸孔である小径丸孔部１３の方向に羽根部９の根元部１０を移動させることにより羽根部９の根元部１０は支持部８の所定の位置に配置することができるので、取付け作業時間を短縮することができるものである。
【００３０】
（実施の形態２）
図６は、本発明の実施の形態の天井扇風機の羽根部と支持部の概要を示す図である。図７は、本発明の実施の形態の天井扇風機の羽根部の支持部への取付状態を示す図である。図８は、本発明の実施の形態の天井扇風機の羽根部の支持部への取付状態を示す図である。
【００３１】
実施の形態１と同様の構成要素については同一の符号を付し、その詳細な説明は省略する。
【００３２】
実施の形態１と相違する点は、羽根部９の支持部への取付け構造にある。
【００３３】
図６から図８に示すように具体的には、羽根部９の根元部１０に設けられた孔部１２すべてが、ねじ１６の頭部より小さい丸孔である小径丸孔部１３とねじ１６の頭部より大きい丸孔である大径丸孔部１４が連結した形状であり、すべての支持部８のねじ孔部１５には、ねじ１６が締結されているものである。
【００３４】
すなわち、羽根部９の根元部１０に設けられた少なくとも２箇所のねじ１６の頭部より小さい丸孔であるねじ止め用の小径丸孔部１３のすべてが、ねじ１６の頭部より大きい丸孔である大径丸孔部１４と連結した形状であることとなる。
【００３５】
ここで、このねじ１６の頭部より大きい丸孔である大径丸孔部１４と連結したねじの頭部より小さい丸孔である小径丸孔部１３と相対する位置の支持部８のねじ孔部１５に締結されたねじ１６は外すことなく緩めるだけで、図７に示すようにねじ１６の頭部より大きい丸孔である大径丸孔部１４がこのねじ１６の頭部を通過して羽根部９の根元部１０は支持部８に到達する。続いて図８に示すように、ねじ１６の東部より小さい丸孔である小径丸孔部１３の方向に羽根部９の根元部１０を移動させることにより羽根部９の根元部１０は支持部８の所定の位置に配置することができるので、取付け作業時間を短縮することができるものである。
【００３６】
また、羽根部９の根元部１０に設けられた孔部１２は、ねじ１６の頭部より大きい丸孔である大径丸孔部１４がねじ１６の頭部より小さい丸孔である小径丸孔部１３より羽根部９が回転した場合の羽根部９の出口側に設けたものである。
【００３７】
すなわち、羽根部９の根元部１０に設けられた孔部１２は、大径丸孔部１４が小径丸孔部１３より羽根部９が回転した場合の羽根部９の出口側に配設して連結した形状であることとなる。
【００３８】
ここで、支持部８に固定された複数の羽根部９は回転することにより空気を送風し、羽根部９は空気の送風方向と逆方向、いわゆる羽根部９が回転した場合に、羽根部９の入口側から出口側すなわち羽根部９の前縁から後縁に向かって力を受けることになるが、支持部８に締結固定された羽根部９の根元部１０のねじ１６が万が一緩んでも羽根部９が受ける力の向きは、羽根部９が回転した場合の羽根部９の入口側から出口側であるため、羽根部９は小径丸孔部１３より羽根部９が回転した場合の羽根部９の出口側にある大径丸孔部１４の方向に移動することはないので、ねじ１６の緩みによって支持部８に固定された羽根部９は脱落しないものである。
【産業上の利用可能性】
【００３９】
本発明によれば、天井に係合可能な連結部と、この連結部の下部に備えたモータ部と、このモータ部の周縁に回転自在に設けた支持部と、この支持部に着脱可能な複数の羽根部と、梱包ケースとから構成し、この羽根部は、前記支持部に固定される根元部と、前記支持部が回転することにより空気を送風する翼部で構成され、前記根元部には、孔である孔部を少なくとも２箇所有し、この孔部はねじの頭部より小さい丸孔である小径丸孔部からなり、前記支持部には、前記孔部に相対する位置に孔部前記ねじが固定可能な少なくとも２箇所のねじ孔部を備え、少なくとも２個の前記ねじを前記小径丸孔部に通し前記ねじ孔部でねじ止めすることによって前記羽根部を前記支持部に固定可能とし、前記小径丸孔部の１箇所は、ねじの頭部より大きい丸孔である大径丸孔部が連結した形状であり、この前記大径丸孔部が連結した形状の前記孔部に相対する位置の前記支持部の前記ねじ孔部には、前記ねじが締結された状態で前記梱包ケースに収納されていることを特徴とするものであり、羽根部を支持部へ固定する作業時間を短縮することができるものである。
【００４０】
すなわち、羽根部を支持部へ固定する際に、羽根部の根元部に設けられた少なくとも２箇所のねじの頭部より小さい丸孔であるねじ止め用の小径丸孔部の内、少なくとも１箇所はねじの頭部より大きい丸孔である大径丸孔部が連結した形状であることにより、このねじの頭部より大きい丸孔である大径丸孔部と連結したねじの頭部より小さい丸孔である小径丸孔部と相対する位置の支持部のねじ孔部に締結されたねじは外すことなく緩めるだけで、ねじの頭部より大きい丸孔である大径丸孔部がこのねじの頭部を通過して羽根部の根元部は支持部に到達し、続いてねじの頭部より小さい丸孔である小径丸孔部の方向に羽根部の根元部を移動させることにより羽根部の根元部は支持部の所定の位置に配置することができる。
【００４１】
結果として、羽根部の支持部への固定において、支持部のねじ孔部に締結されたねじを外すことなく緩めるだけで、羽根部の根元部を支持部の所定の位置に配置することができ、取付け作業時間を短縮することができるものである。
【００４２】
従って、家庭用や事務用などの、天井扇風機としての活用が期待されるものである。
【符号の説明】
【００４３】
１  天井
２  吊下部
３  天井扇風機
４  連結部
５  ジョイント部
６  パイプ部
７  モータ部
８  支持部
９  羽根部
１０  根元部
１１  翼部
１２  孔部
１３  小径丸孔部
１４  大径丸孔部
１５  ねじ孔部
１６  ねじ
１７  本体カバー部
１８  梱包ケース
【図１】
2014152700.tif 000003
【図２】
2014152700.tif 000004
【図３】
2014152700.tif 000005
【図４】
2014152700.tif 000006
【図５】
2014152700.tif 000007
【図６】
2014152700.tif 000008
【図７】
2014152700.tif 000009
【図８】
2014152700.tif 000010